(57)【要約】  ダウンリンク制御チャネル内のダウンリンク制御情報（DCI）を受信することと―ここにおいて、前記ダウンリンク制御情報は、クラスター化アップリンク資源割り当てプロトコル又は連続アップリンク資源割り当てプロトコルによるアップリンク資源の割り当てを示すように構成されている―、前記クラスター化アップリンク資源割り当てプロトコル及び前記連続アップリンク資源割り当てプロトコルのうちのいずれが示されているか検知することと、及び前記示されているアップリンク資源割り当てプロトコルに基づいて前記アップリンク資源を割り当てることとを行う方法、システム、装置及びコンピュータプログラムプロダクトが提供される。【選択図】図７
2013507840.tif 000002
【特許請求の範囲】
【請求項１】
ワイヤレス通信デバイスにおける方法であって、
ダウンリンク制御チャネル内のダウンリンク制御情報（DCI）を受信することと、ここにおいて、前記ダウンリンク制御情報は、クラスター化アップリンク資源割り当てプロトコル又は連続アップリンク資源割り当てプロトコルによるアップリンク資源の割り当てを示すように構成されている、
前記クラスター化アップリンク資源割り当てプロトコル及び前記連続アップリンク資源割り当てプロトコルのうちのいずれが示されているか検知することと、及び
前記示されているアップリンク資源割り当てプロトコルに基づいて前記アップリンク資源を割り当てることと
を含む方法。
【請求項２】
前記ダウンリンク制御情報は、クラスター化アップリンク資源割り当て及びアップリンクMIMO(複数入力複数出力)オペレーションを示す、請求項1の方法。
【請求項３】
前記クラスター化アップリンク資源割り当てプロトコルを検知することは、前記クラスター化アップリンク資源割り当てプロトコルと前記連続アップリンク資源割り当てプロトコルを区別するためのDCIフォーマットの1つ又は複数のインジケータを解釈することを含む、請求項1の方法。
【請求項４】
前記クラスター化アップリンク資源割り当てプロトコルを検知することは、前記クラスター化アップリンク資源プロトコルと前記連続アップリンク資源割り当てプロトコルを区別するための異なるDCIフォーマットを解釈することを含む、請求項1の方法。
【請求項５】
前記クラスター化アップリンク資源割り当てプロトコルは、1つの資源ブロックグループの割り当て解による2つ又はそれ以上のクラスターの割り当てを含み、各資源ブロックグループは、システム帯域幅に基づいて1つ、2つ、3つ又は4つの資源ブロックから成る、請求項1の方法。
【請求項６】
クラスター化アップリンク資源割り当てをスケジューリングするように構成されているDCIフォーマットは、ダウンリンク資源割り当てプロトコルのために構成されているDCIフォーマットサイズと一致するようにサイズ調整される、請求項1の方法。
【請求項７】
ダウンリンク伝送モード及びアップリンク伝送モードは、別々に構成されている、請求項1の方法。
【請求項８】
前記クラスター化アップリンク資源割り当てプロトコルは、1つの資源ブロックグループの割り当て解による2つ又はそれ以上のクラスターの割り当てを含み、各資源ブロックグループは、1つ、2つ、3つ又は4つの資源ブロックから成り、また資源ブロックグループは、完全システム帯域幅より狭い帯域幅にわたって割り当てられる、請求項1の方法。
【請求項９】
前記クラスター化アップリンク資源割り当てプロトコルは、ビットマップベースのダウンリンク資源割り当てプロトコルに対応する、請求項1の方法。
【請求項１０】
前記連続アップリンク資源割り当てプロトコルは、LTE Rel-8のシングルキャリア波形に基づいている、請求項1の方法。
【請求項１１】
前記クラスター化アップリンク資源割り当てプロトコルは、LTEアドバンスのCL-DFT-S-OFDM（クラスター化離散フーリエ変換拡散直交周波数分割多重）波形に基づいている、請求項1の方法。
【請求項１２】
前記クラスター化アップリンク資源割り当てプロトコルは、LTERel-8連続アップリンク資源割り当てプロトコルより多い数のブラインド復号を必要としない、請求項1の方法。
【請求項１３】
ダウンリンク制御チャネル内のダウンリンク制御情報（DCI）を受信する手段と、ここにおいて、前記ダウンリンク制御情報は、クラスター化アップリンク資源割り当てプロトコル又は連続アップリンク資源割り当てプロトコルによるアップリンク資源の割り当てを示すように構成されている、
前記クラスター化アップリンク資源割り当てプロトコル及び前記連続アップリンク資源割り当てプロトコルのうちのいずれが示されているか検知するための手段と、及び
前記示されているアップリンク資源割り当てプロトコルに基づいて前記アップリンク資源を割り当てるための手段と
を含む装置。
【請求項１４】
前記ダウンリンク制御情報は、クラスター化アップリンク資源割り当て及びアップリンクMIMO(複数入力複数出力)オペレーションを示す、請求項13の装置。
【請求項１５】
通信デバイスであって、
プロセッサと
前記プロセッサによって実行されるとき、以下の動作を行うように前記通信デバイスを構成するプロセッサ実行可能な命令を含むメモリと
を含む通信デバイス；
ダウンリンク制御チャネル内のダウンリンク制御情報（DCI）を受信することと、ここにおいて、前記ダウンリンク制御情報は、クラスター化アップリンク資源割り当てプロトコル又は連続アップリンク資源割り当てプロトコルによるアップリンク資源の割り当てを示すように構成されている、
前記クラスター化アップリンク資源割り当てプロトコル及び前記連続アップリンク資源割り当てプロトコルのうちのいずれが示されているか検知することと、及び
前記示されているアップリンク資源割り当てプロトコルに基づいて前記アップリンク資源を割り当てること。
【請求項１６】
前記ダウンリンク制御情報は、クラスター化アップリンク資源割り当て及びアップリンクMIMO(複数入力複数出力)オペレーションを示す、請求項15の通信デバイス。
【請求項１７】
前記クラスター化アップリンク資源割り当てプロトコルを検知するために、前記通信デバイスは、前記クラスター化アップリンク資源割り当てプロトコルと前記連続アップリンク資源割り当てプロトコルを区別するためのDCIフォーマットの1つ又は複数のインジケータを解釈するように構成されている、請求項15の通信デバイス。
【請求項１８】
前記クラスター化アップリンク資源割り当てプロトコルを検知するために、前記通信デバイスは、前記クラスター化アップリンク資源プロトコルと前記連続アップリンク資源割り当てプロトコルを区別するための異なるDCIフォーマットを解釈するように構成されている、請求項15の通信デバイス。
【請求項１９】
非一時的なコンピュータ可読記憶媒体上に具現化されているコンピュータプログラムプロダクトであって、
ダウンリンク制御チャネル内のダウンリンク制御情報（DCI）を受信するためのプログラムコードと、ここにおいて、前記ダウンリンク制御情報は、クラスター化アップリンク資源割り当てプロトコル又は連続アップリンク資源割り当てプロトコルによるアップリンク資源の割り当てを示すように構成されている、
前記クラスター化アップリンク資源割り当てプロトコル及び前記連続アップリンク資源割り当てプロトコルのうちのいずれが示されているか検知するためのプログラムコードと、及び
前記示されているアップリンク資源割り当てプロトコルに基づいて前記アップリンク資源を割り当てるためのプログラムコードと
を含むコンピュータプログラムプロダクト。
【請求項２０】
前記ダウンリンク制御情報は、クラスター化アップリンク資源割り当て及びアップリンクMIMO(複数入力複数出力)オペレーションを示す、請求項19のコンピュータプログラムプロダクト。
【請求項２１】
ダウンリンク制御チャネル内のダウンリンク制御情報（DCI）を送信することを含む方法であって、
前記ダウンリンク制御情報は、クラスター化アップリンク資源割り当てプロトコル又は連続アップリンク資源割り当てプロトコルによるアップリンク資源の割り当てを示すように構成されており、前記ダウンリンク制御情報は、ダウンリンク資源割り当てプロトコルのために構成されているDCIフォーマットとサイズが一致するようにフォーマット化されている、方法。
【請求項２２】
前記ダウンリンク制御情報は、クラスター化アップリンク資源割り当て及びアップリンクMIMO(複数入力複数出力)オペレーションを示すように設計されている、請求項21の方法。
【請求項２３】
前記クラスター化アップリンク資源割り当てプロトコルは、前記クラスター化アップリンク資源割り当てプロトコルと前記連続アップリンク資源割り当てプロトコルを区別するためのDCIフォーマットの1つ又は複数のインジケータを含む、請求項21の方法。
【請求項２４】
前記クラスター化アップリンク資源割り当てプロトコルは、ビットマップベースのダウンリンク資源割り当てプロトコルに対応する、請求項21の方法。
【請求項２５】
ダウンリンク制御チャネル内のダウンリンク制御情報（DCI）を送信するための手段と、ここにおいて、前記ダウンリンク制御情報は、クラスター化アップリンク資源割り当てプロトコル又は連続アップリンク資源割り当てプロトコルによるアップリンク資源の割り当てを含み、前記ダウンリンク制御情報は、ダウンリンク資源割り当てプロトコルのために構成されているDCIフォーマットとサイズが一致するようにフォーマット化されている、及び
前記アップリンク資源割り当てが前記クラスター化アップリンク資源割り当てプロトコル又は前記連続アップリンク資源割り当てプロトコルを含んでいるかを示すための手段と
を含む装置。
【請求項２６】
前記ダウンリンク制御情報は、クラスター化アップリンク資源割り当て及びアップリンクMIMO(複数入力複数出力)オペレーションを示すように構成されている、請求項25の装置。
【請求項２７】
通信デバイスであって、
プロセッサと、及び
前記プロセッサによって実行されるとき、前記通信デバイスを、ダウンリンク制御チャネル内のダウンリンク制御情報（DCI）を送信するように構成するプロセッサ実行可能な命令を含むメモリとを含む通信デバイスであって、
前記ダウンリンク制御情報は、クラスター化アップリンク資源割り当てプロトコル又は連続アップリンク資源割り当てプロトコルによるアップリンク資源の割り当てを示すように構成されており、前記ダウンリンク制御情報は、ダウンリンク資源割り当てプロトコルのために構成されているDCIフォーマットとサイズが一致するようにフォーマット化されている、通信デバイス。
【請求項２８】
前記ダウンリンク制御情報は、クラスター化アップリンク資源割り当て及びアップリンクMIMO(複数入力複数出力)オペレーションを示すように構成されている、請求項27の通信デバイス。
【請求項２９】
非一時的なコンピュータ可読記憶媒体上に具現化されているコンピュータプログラムプロダクトであって、
ダウンリンク制御チャネル内のダウンリンク制御情報（DCI）を送信するためのプログラムコード、ここにおいて、前記ダウンリンク制御情報は、クラスター化アップリンク資源割り当てプロトコル又は連続アップリンク資源割り当てプロトコルによるアップリンク資源の割り当てを示すように構成されており、前記ダウンリンク制御情報は、ダウンリンク資源割り当てプロトコルのために構成されているDCIフォーマットとサイズが一致するようにフォーマット化されている、
を含むコンピュータプログラムプロダクト。
【請求項３０】
前記ダウンリンク制御情報は、クラスター化アップリンク資源割り当て及びアップリンクMIMO(複数入力複数出力)オペレーションを示すように構成されている、請求項29のコンピュータプログラムプロダクト。
【発明の詳細な説明】
【関連出願の参照】
【０００１】
本件出願は、2009年10月8日付の「LTE-Aのアップリンク資源割り当て」という名称の米国仮特許出願61/249,911についての優先権を主張するものであって、その仮出願の全体は、参照によって本件明細書に組込まれている。本件出願はまた、2009年10月27日付の「LTE-Aのアップリンク資源割り当て」という名称の米国仮特許出願61/255,440についての優先権も主張するものであって、その仮出願の全体は、参照によって本件明細書に組込まれている。
【技術分野】
【０００２】
本件発明は、一般にワイヤレス通信の分野に関係し、より詳細にはワイヤレス通信システムにおける時間周波数資源の割り当てに関係する。
【背景技術】
【０００３】
このセクションは、開示されている実施形態の背景又は文脈を提供することを意図している。本件明細書中の説明の中に含まれている技術思想は、追求しようと思えば追求することができたものであるが、必ずしも以前に着想又は追求されたものであるとはかぎらない。したがって、このセクションで説明されていることは、本件明細書において特に断っている場合を除いて、本件出願中の発明の詳細な説明及び特許請求の範囲に対する先行技術ではなく、またこのセクションへの包含によって先行技術であると認められるものでもない。
【０００４】
ワイヤレス通信システムは、音声、データなどのような様々なタイプの通信コンテンツを提供するために広く展開されている。これらのシステムは、使用可能なシステム資源（例えば、帯域幅や送信電力）を共有することにより、複数のユーザーとの通信をサポートすることができる共同利用のシステムであってもよい。そのような共同利用のシステムの例は、符号分割多元接続（CDMA）システム、時分割多元接続（TDMA）システム、周波数分割多元接続（FDMA）システム、3GPP-LTEシステム及び直交周波数分割多元接続（OFDMA）システムを含んでいる。
【０００５】
3GPP-LTE仕様書のリリース8（Rel-8）及びリリース9（Rel-9）において、モバイルデバイス（ユーザー設備、UE）と基地局（eNodeB）との間のアップリンク中の時間周波数資源の割り当ては、物理ダウンリンク制御チャネル（PDCCH）内のダウンリンク制御情報（DCI）によってモバイルデバイスに伝達される。この目的のためにただ1つのDCIフォーマット（フォーマット0）が指定され、資源割り当てのためのプロトコルは、送信帯域幅内のスタート資源ブロック（RB）の位置及び当該スタート位置から連続するRBの計数に基づく連続資源割り当てに限定される。
【０００６】
LTEアドバンス(LTE-A)に関し、アップリンクコンポーネントキャリア上で非連続（すなわち、マルチクラスターの）資源割り当てがサポートされるべきであるということが提案されている。しかしながら、資源割り当てプロトコルは、まだ具体的に特定されていない。
【発明の概要】
【０００７】
開示されている実施形態は、ワイヤレス通信システムのダウンリンク制御チャネル内のアップリンクチャネル資源を割り当てるためのシステム、方法、装置及びコンピュータプログラムプロダクトに関係する。
【０００８】
1つの開示されている実施形態に準拠して、本件発明の方法は、ダウンリンク制御チャネル内のダウンリンク制御情報（DCI）を受信することと―ここにおいて、前記ダウンリンク制御情報は、クラスター化アップリンク資源割り当てプロトコル又は連続アップリンク資源割り当てプロトコルによるアップリンク資源の割り当てを示すように構成されている―、前記クラスター化アップリンク資源割り当てプロトコル及び前記連続アップリンク資源割り当てプロトコルのうちのいずれが示されているか検知することと、
前記示されているアップリンク資源割り当てプロトコルに基づいて前記アップリンク資源を割り当てることとを含んでいる。
【０００９】
1つの実施態様において、前記ダウンリンク制御情報は、クラスター化アップリンク資源割り当て及びアップリンクのMIMO（複数入力複数出力）オペレーションを示している。
【００１０】
1つの実施態様において、前記クラスター化アップリンク資源割り当てプロトコルを検知することは、前記クラスター化アップリンク資源割り当てプロトコルと前記連続アップリンク資源割り当てプロトコルを区別するためのDCIフォーマットの1つ又は複数のインジケータを解釈することを含んでいる。
【００１１】
別の実施態様において、前記クラスター化アップリンク資源割り当てプロトコルを検知することは、前記クラスター化アップリンク資源プロトコルと前記連続アップリンク資源割り当てプロトコルを区別するための異なるDCIフォーマットを解釈することを含んでいる。
【００１２】
1つの実施態様において、前記クラスター化アップリンク資源割り当てプロトコルは、1つの資源ブロックグループの割り当て解による2以上のクラスターの割り当てを含んでいる。ここにおいて、各資源ブロックグループは、システム帯域幅に基づいて1つ、2つ、3つ又は4つの資源ブロックから成っている。
【００１３】
別の実施態様において、クラスター化アップリンク資源割り当てをスケジュールするように構成されているDCIフォーマットは、ダウンリンク資源割り当てプロトコルのために構成されているDCIフォーマットサイズと一致するようにサイズ調整されている。
【００１４】
別の実施態様において、ダウンリンク伝送モード及びアップリンク伝送モードは、別々に構成されている。
【００１５】
さらに別の実施態様において、前記クラスター化アップリンク資源割り当てプロトコルは、1つの資源ブロックグループの割り当て解による2個以上のクラスターの割り当てを含んでいる。ここにおいて、各資源ブロックグループは、1つ、2つ、3つ又は4つの資源ブロックから成り、また資源ブロックグループは、完全システム帯域幅より小さい帯域幅の上に割り当てられている。
【００１６】
さらにまた別の実施態様において、前記クラスター化アップリンク資源割り当てプロトコルは、クラスター化ダウンリンク資源割り当てプロトコルに対応している。
【００１７】
1つの実施形態において、本件発明の方法は、クラスター化アップリンク資源割り当てプロトコル又は連続アップリンク資源割り当てプロトコルによるアップリンク資源の割り当てを示すように構成されているダウンリンク制御チャネル内のダウンリンク制御情報（DCI）を送信することを含んでおり、ここにおいて、前記ダウンリンク制御情報は、クラスター化アップリンク資源割り当て及びアップリンクMIMOオペレーションを示すように構成されており、及び前記ダウンリンク制御情報は、ダウンリンク資源割り当てプロトコルのために構成されているDCIフォーマットにサイズが一致するようにフォーマット化されている。
【００１８】
他の開示されている実施形態は、前記開示されている方法を実行するための装置及びコンピュータプログラムプロダクトを含んでいる。様々な実施形態の上記特徴及びその他の特徴が、各々の実施形態の構成及びオペレーション手順とともに、以下の発明の詳細な説明及びそれに付随する図面から明らかになるであろう。図面においては、全体を通じて、類似の部分を指すために類似の参照番号が使用される。
【図面の簡単な説明】
【００１９】
以下の付随する図面における図形において提供される実施形態は、例示として示されるものであって、制限されるものとして示されるものではない。
【図１】図1は、ワイヤレス通信システムを例示している。
【図２】図2は、通信システムのブロック図を例示している。
【図３】図3は、時間周波数資源割り当てを例示している。
【図４】図4は、1つの実施形態中の制御シンボル、データシンボル及び基準シンボルの分配を例示している。
【図５】図5は、1つの実施形態中の制御チャネル要素（CCE）のアグリゲーションを例示している。
【図６】図6は、1つの例示的な実施形態中の共通サーチ空間及び専用サーチ空間を例示している。
【図７】図7は、1つの実施形態中の方法を例示している流れ図である。
【図８】図8は、1つの実施形態中のアップリンク及びダウンリンク資源割り当てを例示しているシステムのブロック図である。
【図９】図9は、1つの実施形態に準拠している方法を実行するように構成されているシステムのブロック図である。
【図１０】図10は、1つの実施形態中のワイヤレス通信装置を例示している。
【発明の詳細な説明】
【００２０】
以下の説明において、制限の目的ではなく、説明の目的のために、様々な開示されている実施形態の完全な理解を提供するために、発明の詳細な説明が述べられる。しかしながら、これらの詳細及び説明から外れるその他の実施形態の中で様々な実施形態が実行されてもよいことは当業者に明白だろう。
【００２１】
本件明細書において使用されているように、「コンポーネント」、「モジュール」、「システム」などの用語は、コンピュータ関連のエンティティ−たとえ、それがハードウェア、ファームウェア、ハードウェアとソフトウェアとの組み合わせ、ソフトウェア又は実行中のソフトウェアであれ―そのエンティティを参照するように意図されている。例えば、コンポーネントは、プロセッサ上で動作中のプロセス、プロセッサ、オブジェクト、実行可能ファイル、実行スレッド、プログラム及び／又はコンピュータであってもよいが、これらに限られるものではない。例示として、計算デバイス上で作動するアプリケーション及び計算デバイスは、いずれもコンポーネントであることができる。1つ又は複数のコンポーネントが実行プロセス及び／又は実行スレッド内に存在してもよく、また1つのコンポーネントが1つのコンピュータ上にローカル化されてもよく及び／又は2以上のコンピュータの間に分散させられてもよい。くわえて、これらのコンポーネントは、様々なデータ構造を内蔵する様々なコンピュータ可読媒体から実行をすることができる。コンポーネントは、1つ又は複数のデータパケット（例えば、ローカルシステム、分散システム、及び／又はシグナルによりシステムと連結されているインターネットのようなネットワークにおいてあるコンポーネントとそれと相互作用をする他のコンポーネントからのデータ）を有する信号に従って行われるような局所処理及び／又は遠隔処理によって通信をすることができる。
【００２２】
さらに、本件明細書においては、ユーザー設備に関連して、ある実施形態が説明される。ユーザー設備はまた、ユーザー端末と呼ばれることもでき、システム、加入者ユニット、加入者局、移動局、モバイルワイヤレス端末、モバイルデバイス、ノード、デバイス、遠隔局、遠隔端末、端末、ワイヤレス通信デバイス、ワイヤレス通信装置又はユーザーエージェントの機能性のうちの一部又は全部を含むことができる。ユーザー設備は、携帯電話、コードレス電話、セッション設定プロトコル（SIP）電話、スマートフォン、ワイヤレス・ローカル・ループ（WLL）局、携帯情報端末（PDA）、ラップトップ、携帯型の通信デバイス、携帯型コンピューティングデバイス、サテライトラジオ、ワイヤレスモデムカード及び／又はその他の処理デバイスであってワイヤレスシステム上で通信をするためのものであってもよい。さらに、本件明細書では、基地局に関して、様々な態様が説明される。基地局は、1つ又は複数のワイヤレス端末と通信をするために利用され、アクセスポイント、ノード、ノードＢ、eNB（evolved Node B）又は他の何らかのネットワークエンティティと呼ばれるものであってもよく、かつ、これらのものの機能性の一部又は全部を含むものであってもよい。基地局は、エアーインタフェース上でワイヤレス端末と通信をする。その通信は、1つ又は複数のセクターを通って生起するものであってもよい。基地局は、受信したエアーインタフェースフレームをパケットに変換することにより、アクセスネットワーク（インターネットプロトコル（IP）ネットワークを含むことができる）中のワイヤレスターミナルとそれ以外のものとの間のルータとして働くことができる。基地局はまた、エアーインタフェースのための属性の管理を調整することもでき、また有線ネットワークとワイヤレスネットワークの間のゲートウェイであることもできる。
【００２３】
ある数のデバイス、コンポーネント、モジュール等々を含みうるシステムの観点から、様々な態様、実施形態又は特徴が提示されるであろう。前記様々なシステムは、追加的なデバイス、コンポーネント、モジュール等々を含んでもよく、及び／又は、図に関連して論じられるデバイス、コンポーネント、モジュール等々の必ずしもすべてを含まなくてもよいということが理解及び認識されるべきである。これらのアプローチの組み合わせが採用されてもよい。
【００２４】
さらに、主題の説明において、「例示的」という語は、例示、事例又は実例として役立つということを意味するものとして使用されている。本件明細書において「例示的」と記述されるいかなる実施形態又は設計も、他の実施形態又は設計に比べて好ましい又は有利であると必ずしも解釈されるべきではない。むしろ、例示的という語の使用は、概念を具体的方法で提示することを意図しているものである。
【００２５】
様々な開示されている実施形態は、通信システムに組み入れられることができる。1つの例において、そのような通信システムは、システム帯域幅全体を多数の（ＮＦ個の）サブキャリアへ効果的に分割する直交周波数分割多重（OFDM）を利用するものであり、前記多数のサブキャリアは、周波数サブチャネル、トーン又は周波数ビンと呼ばれることもある。OFDMシステムの場合、送信されるべきデータ（すなわち情報ビット）は、まず特別の符号化方式で符号化され、そして前記符号化されたビットは、後に変調シンボルに対応付けられるマルチビットのシンボルにさらにグループ化される。各変調シンボルは、データ伝送のために使用される特別の変調スキーム（例えば、M-PSK 又はM-QAM）によって定義される信号配列（a signal constellation）中の点に対応している。各時間間隔（これは各周波数サブキャリアの帯域幅に依存するものであってもよい）において、変調シンボルは、ＮＦ個の周波数サブキャリアの各々の上で送信されてもよい。このようにして、OFDMは、周波数選択フェージングによって生じるシンボル間干渉（ISI）を除去するために使用されることができる。ISIは、システム帯域幅にわたる異なる減衰量によって特徴付けられる。
【００２６】
一般に、ワイヤレス多元接続通信システムは、多数のワイヤレス端末のための通信を同時にサポートすることができる。各端末は、順方向リンク及び逆方向リンク上の送信によって、1つ又は複数の基地局と通信をする。順方向リンク（又はダウンリンク）とは、基地局から端末への通信リンクをいい、逆方向リンク（又はアップリンク）とは、端末から基地局への通信リンクをいう。この通信リンクは、SISO（単一入力単一出力）、MISO（多数入力単一出力）又はMIMO（多数入力多数出力）システムによって確立されることができる。
【００２７】
MIMOシステムは、データ伝送のために、多数の（ＮＴ個の）送信アンテナと多数の（ＮＲ個の）受信アンテナを使用する。ＮＴ個の送信アンテナとＮＲ個の受信アンテナによって形成されるMIMOチャネルは、ＮＳ個の独立チャネルに分解されることができる。ＮＳ個の独立チャネルは、空間チャネルとも呼ばれる。ここで、ＮＳ＜＝min｛ＮＴ, ＮＲ｝である。ＮＳ個の独立チャネルの各々は、1つの次元に対応する。MIMOチャネルは、多数の送信アンテナと多数の受信アンテナによって追加の次元が創設される場合、よりよいパフォーマンス（例えば、より高い処理能力及び／又は、より大きな信頼性）を提供することができる。MIMOシステムはまた、時分割二重（TDD）及び周波数分割二重（FDD）システムをサポートする。TDD方式において、前方向リンク送信及び逆方向リンク送信は、同じ周波数領域上にあり、その結果、相補性の原理により、逆方向リンクチャネルから順方向リンクチャネルを推定することができる。このことにより、基地局は、当該基地局において複数のアンテナが使用可能なとき、順方向リンク上の送信ビームフォーミング利得を抽出することができる。
【００２８】
図1は、様々な開示されている実施形態が実装されることができるワイヤレス通信システムを例示している。基地局100は、多数のアンテナグループを含んでもよく、また各アンテナグループは、1つ又は複数のアンテナを含むものであってもよい。例えば、基地局100が6本のアンテナを含んでいる場合、1つのアンテナグループは、第1のアンテナ104及び第2のアンテナ106を含んでもよく、別のアンテナグループは、第3のアンテナ108及び第4のアンテナ110を含んでもよく、その一方、第3のグループは、第5のアンテナ112及び第6のアンテナ114を含むものであってもよい。上記のアンテナグループの各々は、2本のアンテナを持っているものとして識別されたが、2以下又は3以上のアンテナが各アンテナグループの中で利用されてもよいことが注目されるべきである、
図1に関し、第1のユーザー設備116は、例えば、第5のアンテナ112及び第6のアンテナ114と通信可能になっていて、第1の順方向リンク120上で第1のユーザー設備116への情報伝送を可能とし、かつ、第1の逆方向リンク118上で第1のユーザー設備116からの情報受信を可能とするように図示されている。図1はまた、第2のユーザー設備122を図示している。第2のユーザー設備122は、例えば、第3のアンテナ108及び第4のアンテナ110と通信可能になっていて、第2の順方向リンク126上で第2のユーザー設備122への情報転送を可能とし、かつ、第2の逆方向リンク124上で第2のユーザー設備122からの情報受信を可能としている。周波数分割二重（FDD）システムにおいて、図1に示されている通信リンク118、120、124、126は、通信のために異なる周波数を使用することができる。例えば、第1の順方向リンク120は、第1の逆方向リンク118によって使用される周波数とは異なる周波数を使用することができる。
【００２９】
いくつかの実施形態において、各アンテナグループ及び／又はそれが通信をするように設計されているエリアは、しばしば基地局のセクターと呼ばれる。例えば、図1に描かれている異なるアンテナグループは、基地局100のセクター中のユーザー設備と通信をするように設計されることができる。順方向リンク120及び126上での通信において、基地局100の送受信アンテナは、異なるユーザー設備116及び122に関する順方向リンクのＳＮ比を改善するために、ビームフォーミングを利用する。また、通信カバレッジ全体にわたってランダムに分散しているユーザー設備に送信をするためにビームフォーミングを使用する基地局は、ただ1つのアンテナを用いてそのすべてのユーザー設備に対して全方向的に送信をする基地局に比べて、近隣セルのユーザー設備との干渉が少なくなる。
【００３０】
様々な開示されている実施形態のうちのいくつかに対処する通信ネットワークは、制御チャネル及びトラフィックチャネルの中に分類される論理チャネルを含むものであってもよい。論理制御チャネルは、報知制御チャネル（BCCH）（報知システム制御情報のためのダウンリンクチャネル）、ページング制御チャネル（PCCH）（ページング情報を転送するダウンリンクチャネル）、マルチキャスト制御チャネル（MCCH）（マルチメディア報知及びマルチキャストサービス（MBMS）スケジューリングを送信するために使用されるポイント・ツー・マルチポイントのダウンリンクチャネル）及び1つ又は複数のマルチキャスト・トラフィックチャネル（MTCH）のための制御情報を含むものであってもよい。一般に、無線通信資源制御（RRC）接続を確立した後には、MCCHは、MBMSを受信するユーザー設備のみによって使用される。専用制御チャネル（DCCH）は、RRC接続をしているユーザー設備によって使用されるユーザー固有の制御情報のような専用制御情報を送信するポイント・ツー・ポイントの双方向チャネルである別の論理制御チャネルである。共通制御チャネル（CCCH）はまた、ランダムアクセス情報のために使用されてもよい論理制御チャネルである。論理トラフィックチャネルは、ユーザー情報の転送のための1つのユーザー設備専用のポイント・ツー・ポイントの双方向チャネルである専用トラフィックチャネル（DTCH）を含むものであってもよい。また、マルチキャストトラフィックチャネル（MTCH）は、トラフィックデータのポイント・ツー・マルチポイントのダウンリンク送信のために使用されてもよい。
【００３１】
様々な実施形態のうちのいくつかに対処する通信ネットワークは、ダウンリンク（DL）及びアップリンク（UL）の中に分類される論理トランスポートチャネルをさらに含むものであってもよい。DLトランスポートチャネルは、報知チャネル（BCH）、ダウンリンク共用データチャネル（DL−SDCH）、マルキャストチャネル（MCH）及びページングチャンネル（PCH）を含むものであってもよい。ULトランスポートチャネルは、ランダムアクセスチャネル（RACH）、リクエストチャネル（REQCH）、アップリンク共用データチャネル（UL−SDCH）及び複数の物理チャネルを含むものであってもよい。物理チャネルはまた、ダウンリンク及びアップリンクチャネルの集合を含むものであってもよい。
【００３２】
いくつかの開示されている実施形態において、ダウンリンク物理チャネルは、共通パイロットチャネル（CPICH）、同期チャネル（SCH）、共通制御チャネル（CCCH）、共有ダウンリンク制御チャネル（SDCCH）、マルチキャスト制御チャネル（MCCH）、共有アップリンク分配チャネル（SUACH）、肯定応答チャネル（ACKCH）、ダウンリンク物理共用データチャネル（DL−PSDCH）、アップリンク電源制御装置チャネル（UPCCH）、ページングインジケータチャネル（PICH）、負荷インジケータチャネル（LICH）、物理報知チャネル（PBCH）、物理制御フォーマットインジケータチャネル（PCFICH）、物理ダウンリンク制御チャネル（PDCCH）、物理ハイブリッドARQインジケータチャネル（PHICH）、物理ダウンリンク共有チャネル（PDSCH）及び物理マルチキャストチャネル（PMCH）のうちの少なくとも1つを含むものであってもよい。アップリンク物理チャネルは、物理ランダムアクセスチャネル（PRACH）、チャネル品質インジケータチャネル（CQICH）、肯定応答チャネル（ACKCH）、アンテナサブセットインジケータチャネル（ASICH）、共有リクエストチャネル（SREQCH）、アップリンク物理共用データチャネル（UL−PSDCH）、広帯域パイロットチャネル（ＢPICH）、物理アップリンク制御チャネル（PUCCH）及び物理アップリンク共有チャネル（PUSCH）の少なくとも1つを含むものであってもよい。
【００３３】
さらに、様々な開示されている実施形態を説明するために、次の用語及び特徴が使用されてもよい。
【００３４】
3G：第三世代
3GPP：第三世代パートナーシッププロジェクト
ACLR：隣接チャネル漏洩電力比
ACPR：隣接チャネル電力比
ACS：隣接チャネル選択性
ADS：アドバンス設計システム
AMC：適応型の変調・符号化
A-MPR：追加最大電力削減
ARQ：自動再送要求
BCCH：報知制御チャネル
BTS：送受信基地局
CCE：チャネル制御要素
CDD：サイクリック遅延ダイバーシティ
CCDF：相補累積分布関数
CDMA：符号分割多元接続
CFI：制御フォーマットインジケータ  
Co-MIMO：協調MIMO
CP：サイクリックプリフィックス
CPICH：共通パイロットチャネル
CPRI：共通公共無線インタフェース
CQI：チャネル品質インジケータ
CRC：サイクリック冗長度検査
DCI：ダウンリンク制御インジケータ
DFT：離散フーリエ変換
DFT−SOFDM：離散フーリエ変換拡散OFDM  
DL：ダウンリンク（基地局から加入者への送信）
DL−SCH：ダウンリンク共有チャネル
DSP：デジタル信号処理
DT：開発ツールセット
DVSA：デジタルベクトル信号解析
EDA：電子設計自動化
E-DCH：拡大専用チャネル
E-UTRAN：発展型UMTSの地上無線アクアセスネットワーク
eMBMS：発展型マルチメディア報知マルチキャストサービス
eNB：発展型ノードＢ
EPC：発展型パケットコア
EPRE：１資源要素あたりのエネルギー
ETSI：欧州電気通信標準化団体
e-UTRA：発展型UTRA
e-UTRAN：発展型UTRAN
EVM：誤りベクトル大きさ
FDD：周波数分割二重
FFT：高速フーリエ変換
FRC：固定基準チャネル
FS1：フレーム構造タイプ1
FS2：フレーム構造タイプ2
GSM（登録商標）：移動体通信のためのグローバルシステム
HARQ：ハイブリッド自動再送要求
HDL：ハードウェア記述言語  
HI：HARQインジケータ
HSDPA：高速ダウンリンクパケットアクセス
HSPA：高速パケットアクセス
HSUPA：高速アップリンクパケットアクセス  
IFFT：逆FFT
IOT：相互運用性テストIPインターネットプロトコル
LO：ローカル発振器
LTE：ロングタームエボリューション
MAC：メディアアクセス制御
MBMS：マルチメディア報知マルチキャストサービス
MBSFN：単一周波数ネットワーク上のマルチキャスト／報知
MCH：マルチキャストチャネル  
MCS：変調符号化スキーム
MIMO：複数入力複数出力
MISO：複数入力単一出力
MME：モビリティ管理実体
MOP：最大出力電力
MPR：最大電力削減
MU-MIMO：複数ユーザーMIMO  
NAS：非アクセス層
OBSAI：オープン基地局アーキテクチャインターフェース
OFDM：直交周波数多重化
OFDMＡ：直交周波数分割多元接続
PAPR：ピーク電力対平均電力比
PAR：ピーク電力対平均電力比
PBCH：物理報知チャネル
P-CCPCH：プライマリ共通制御物理チャネル
PCFICH：物理制御フォーマットインジケータチャネル  
PCH：ページングチャネル
PDCCH：物理ダウンリンク制御チャネル
PDCP：パケットデータ収束プロトコル
PDSCH：物理ダウンリンク共有チャネル
PHICH：物理ハイブリッドARQインジケータチャネル  
PHY：物理層
PRACH：物理ランダムアクセスチャネル
PMCH：物理マルチキャストチャネル
PMI：プリコーディングマトリックスインジケータ
P-SCH：プライマリ同期信号
PUCCH：物理アップリンク制御チャネル
PUSCH：物理アップリンク共有チャネル  
RB：資源ブロック
RBGR：資源ブロックグループ
RER：資源要素
REGR：資源要素グループ
RNTI：無線ネットワーク一時識別子
【００３５】
図2は、様々な実施形態に対処可能である例示的通信システムのブロック図を示している。図2に描かれているMIMO通信システム200は、当該MIMO通信システム200の中に送信器システム210（例えば、基地局又はアクセスポイント）及び受信器システム250（例えば、アクセス端末又はユーザー設備）を含んでいる。たとえ、図示されているように、基地局が送信器システム210と呼ばれ、ユーザー設備が受信器システム250と呼ばれるにせよ、これらのシステムの実施形態は、双方向通信可能であることを当業者は理解するであろう。その点に関し、「送信器システム210」及び「受信器システム250」は、いずれか一方のシステムからの単一方向の通信を意味するものとして使用されてはならない。図2の送信器システム210及び受信器システム250は、図2には明示的に描かれていない複数の他の受信機及び送信器システムと各々通信可能であることもまた注目されるべきである。送信器システム210において、ある数のデータストリームのためのトラフィックデータは、データ発信源212から送信（TX）データプロセッサ214に提供される。各データストリームは、それぞれの送信器システムの上で送信されてもよい。TXデータプロセッサ214は、当該データストリームのために選択された特別の符号化スキームに基づいて、各データストリームのためのトラフィックデータをフォーマットし、符号化し、インターリーブし、その結果として、符号化データを提供する。
【００３６】
各データストリームのための符号化データは、例えば、OFDM技術を使用してパイロットデータと多重化されてもよい。パイロットデータは、典型的には、公知の方法で処理される公知のデータパターンであって、チャネル応答の推定のために受信器システムにて使用されることができる。各データストリームのための多重化されたパイロット及び符号化データは、次に、変調シンボルを提供するためにそのデータストリームのために選ばれた特別の変調スキーム（例えば、BPSK、QSPK、M-PSK又はM-QAM）に基づいて変調される（シンボルマップされる）。各データストリームのためのデータレート、符号化及び変調は、送信器システム210のプロセッサ230によって実行される命令によって決定されてもよい。
【００３７】
図2の例示的ブロック図において、すべてのデータストリームのための変調シンボルは、TX MIMOプロセッサ220に提供されることができる。TX MIMO プロセッサ 220は、変調シンボル（例えば、OFDMのための変調シンボル）をさらに処理することができる。TX MIMOプロセッサ220は，次に、ＮＴ個の変調シンボルストリームをＮＴ個の送信器システム送受信機（TMTR）222ａないし222tに提供する。1つの実施態様において、TX MIMOプロセッサ220は、データストリームのシンボルとシンボルの送信元アンテナとに対してビームフォーミング重みをさらに適用してもよい。
【００３８】
各送信器システム送受信器222aないし222tは、それぞれのシンボルストリームを受信しかつ処理し、もって1つ又は複数のアナログ信号を提供し、さらにそのアナログ信号を調整し、もってMIMOチャネル上の送信に適した変調信号を提供する。いくつかの実施態様において、前記調整は、増幅、フィルタリング、アップコンバーション等々のようなオペレーションを含むものであってもよいが、これらに限られるものではない。送信器システムの送受信器222aないし222tによって作成された変調信号は、次に、図2に示される送信器システムのアンテナ224aないし224tから送信される。
【００３９】
受信器システム250において、送信された変調信号は、受信器システムのアンテナ252aないし252rによって受信され、受信器システムのアンテナ252aないし252tの各々からの受信信号は、それぞれの受信器システム送受信器（RCVR）254aないし254rに提供される。受信器システム送受信器254aないし254rのうちの各々は、それぞれの受信信号を調整し、当該調整された信号をデジタル化し、もってサンプルを提供し、そして当該サンプルをさらに処理し、もって対応する「受信」シンボルストリームを提供する。いくつかの実施態様において、前記調整は、増幅、フィルタリング、ダウンコンバージョン等々のようなオペレーションを含むものであってもよいが、これらに限られるものではない。
【００４０】
RXデータプロセッサ260は、次に、特別の受信機処理技術に基づいて、受信器システム送受信器254aないし254rからのシンボルストリームを受信して処理し、もって複数の「検知された」シンボルストリームを提供する。1つの例において、検知されたシンボルストリームの各々は、対応するデータストリームのために送信されたシンボルの推定であるところのシンボルを含むことができる。RXデータプロセッサ260は、次に、各々の検知されたシンボルストリームを、少なくとも一部において、復調し、インターリーブ解除し、復号し、もって前記対応するデータストリームのためのトラフィックデータを復元する。RXデータプロセッサ260による処理は、送信器システム210のTX MIMOプロセッサ220及びTXデータプロセッサ214によって行なわれるものと相補的であってもよい。RXデータプロセッサ260は、処理されたシンボルストリームをデータ送信先264にさらに提供することができる。
【００４１】
いくつかの実施態様において、チャネル応答推定は、RXデータプロセッサ260によって生成され、受信器システム250における時空間処理の実行、電力レベルの調整、変調レート又はスキームの変更及び／又はその他の適切なアクションを行うために使用されることができる。さらに、RXデータプロセッサ260は、検知されたシンボルストリームの信号対雑音比（SNR）及び信号対干渉比（SIR）のようなチャンネル特性をさらに推定することができる。RXデータプロセッサ260は、次に、推定されたチャンネル特性をプロセッサ270に提供することができる。1つの例において、受信器システム250のRXデータプロセッサ260及び／又はプロセッサ270は、システムに関する「動作」SNRの推定をさらに導出することができる。受信器システム250のプロセッサ270はまた、チャネル状態情報（CSI）を提供することができる。CSIは、通信リンク及び／又は受信したデータストリームに関する情報を含むものであってもよい。この情報は、例えば、動作SNR及びその他のチャネル情報を包含してもよいものであって、この情報は、例えば、ユーザー設備スケジューリング、MIMOセッティング、変調及びコーディング選択等々に関する適切な決定を行うために、送信機システム(例えば、基地局又はeNodeB)によって使用されることができる。受信器システム250において、プロセッサ270によって生成されるCSIは、TXデータプロセッサ238によって処理され、変調器280によって変調され、受信器システム送受信器254aないし254rによって調整され、送信器システム210に逆送信される。さらに、受信器システム250のデータ発信源236は、TXデータプロセッサ238によって処理されるための追加のデータを提供することができる。
【００４２】
いくつかの実施態様において、受信器システム250のプロセッサ270はまた、どのプリコーディングマトリックスを使用すべきかを定期的に決めてもよい。プロセッサ270は、マトリックスインデックス部分及びランク値部分を含んでいる逆方向リンクメッセージを公式化する。逆方向リンクメッセージは、通信リンク及び／又は受信データストリームに関する様々なタイプの情報を含むものであってもよい。逆方向リンクメッセージは、次に、受信器システム250のTXデータプロセッサ238によって処理される。TXデータプロセッサ238はまた、データ発信源236からある数のデータストリームのためのトラフィックデータを受信してもよい。処理された情報は、次に、変調器280によって変調され、受信器システム送受信器254aないし254rのうちの1つ又は複数によって調整され、及び送信器システム210に逆送信される。
【００４３】
MIMO通信システム200のいくつかの実施態様において、受信器システム250は、空間多重化されている信号を受信及び処理することができる。これらのシステムにおいて、空間多重化は、送信器システムのアンテナ224aないし224t上にて異なるデータストリームを多重化し送信することによって、送信器システム210にて生じる。このことは、多数の送信器システムのアンテナ224aないし224tから同じデータストリームが送られる送信ダイバーシティスキームの使用とは対照的である。空間多重化されている信号を受信及び処理することが可能であるMIMO通信システム200において、プリコーディングマトリックスは、典型的には、送信器システム210にて使用され、そのことによって、送信器システムのアンテナ224aないし224tの各々から送信される信号は、互いに他のものから十分に無相関になっていることが保証される。この無相関性の結果として、何か特定の受信器システムのアンテナ252aないし252rに到着する合成信号が受信されること、及び個々のデータストリームが他の送信器システムのアンテナ224aないし224tからの他のデータストリームを運ぶ信号の存在の中で決定され得ることが保証される。
【００４４】
ストリーム間のクロス相関量が環境によって影響を受ける場合があるので、受信信号に関する送信器システム210への情報をフィードバックすることは、受信器システム250にとって有利である。これらのシステムにおいて、送信器システム210及び受信器システム250の両方は、ある数のプリコーディングマトリックスを備えたコードブックを含んでいる。これらのプリコーディングマトリックスの各々は、いくつかの具体例において、受信信号の中で経験されるクロス相関量と関連付けられることができる。ある特定のマトリックスについてその値ではなくて、そのインデックスを送ることが有利であることから、受信器システム250から送信器システム210に送られるフィードバック制御信号は、典型的には特定のプリコーディングマトリックスのインデックスを含んでいる。いくつかの具体例において、フィードバック制御信号はまた、空間多重化の際にどのくらい多くの独立データストリームを使用するべきかを送信器システム210に示すランクインデックスも含んでいる。
【００４５】
MIMO通信システム200の他の実施形態は、上述の空間多重スキームの代わりに送信ダイバーシティスキームを利用するように構成される。これらの実施態様において、送信器システムのアンテナ224aないし224tにわたって同じデータストリームが送信される。これらの実施態様において、受信器システム250に配送されるデータレートは、典型的には、空間多重化MIMO通信システム200より低いものである。これらの実施形態は、通信チャネルの頑強性及び信頼性を提供する。送信ダイバーシティシステムにおいて、送信器システムのアンテナ224aないし224tから送信された信号の各々は、異なる干渉環境（例えば、フェージング、反射、マルチパス位相シフト）を経験するだろう。これらの実施態様において、受信器システムのアンテナ252aないし254rにて受信された異なる信号特性は、適切なデータストリームを決定する上で有益である。これらの実施態様において、ランクインジケータは、典型的には、1にセットされ、送信器システム210に対して空間多重化を使用しないよう命令する。
【００４６】
他の実施形態は、空間多重化と送信ダイバーシティとの組み合わせを利用するものであってもよい。例えば、4つの送信器システムアンテナ224aないし224tを利用するMIMO通信システム200において、第1のデータストリームは、送信器システムアンテナ224aないし224tのうちの2つの上で送信することができ、また第2のデータストリームは、送信器システムアンテナ224aないし224tのうちの残りの2つの上で送信することができる。これらの実施態様において、ランクインデックスは、プリコードマトリックスの最大ランクより小さい整数にセットされる。この整数は、空間多重化と送信ダイバーシティとの組み合わせを採用することを送信器システム210に知らせるものである。
【００４７】
送信器システム210において、受信器システム250からの変調信号は、送信器システムアンテナ224aないし224tによって受信され、送信器システム送受信器222aないし222tによって調整され、送信器システム復調器240によって復調され、そしてRXデータプロセッサ242によって処理され、そのことによって、受信器システム250によって送信された逆リンクメッセージが抽出される。いくつかの実施態様において、送信器システム210のプロセッサ230は、次に、どのプリコーディングマトリックスを将来の順方向リンク送信のために使用するべきかを決定し、次に、前記抽出されたメッセージを処理する。他の実施態様において、プロセッサ230は、前記受信信号を使用することによって、将来の順方向リンク送信のためにビームフォーミング重みを調節する。
【００４８】
他の実施態様において、報告されたCSIは、送信器システム210のプロセッサ230に提供され、そして例えば、1つ又は複数のデータストリームに使用されるべきデータレートと符号化及び変調スキームとを決定するために使用されることができる。決定された符号化及び変調スキームは、次に、後の受信器システム250への送信における量子化及び／又は使用のために、送信器システム210における1つ又は複数の送信器システム送受信器222aないし222tに提供されることができる。追加的に及び／又は代替的に、報告されたCSIは、送信器システム210のプロセッサ230によって使用され、そのことによって、TXデータプロセッサ214及びTX MIMOプロセッサ220のための様々な制御を生成することができる。1つの例において、送信器システム210のRXデータプロセッサ242によって処理されたCSI及び／又はその他の情報は、データ送信先244へ提供されることができる。
【００４９】
いくつかの実施態様において、送信器システム210のプロセッサ230及び受信器システム250のプロセッサ270は、それぞれのシステムのオペレーションを指令することができる。さらに、送信器システム210のメモリ232及び受信器システム250のメモリ272は、それぞれ、送信器システムプロセッサ230及び受信器システムプロセッサ270によって使用されるプログラムコードとデータのための記憶装置を提供することができる。さらに、受信器システム250では、ＮＴ個の送信したシンボルストリームを検知するためにＮＲ個の受信信号を処理するために、各種処理技術が使用されることができる。これらの受信機処理技術は、空間及び時空間受信機処理技術を含むことができ、後者の技術はまた、等化技術、「連続ヌル化/等化及び干渉除去」受信機処理技術、及び／又は「連続干渉除去」又は「連続取消」受信機処理技術を含むことができる。
【００５０】
上で注目されたように、LTEリリース8は、UEとeNodeBの間の物理アップリンク共有チャネル（PUSCH）上の連続資源割り当て（タイプ2資源割り当てとして知られている）をサポートするのみであり、またアップリンク資源割り当て機能は、物理ダウンリンク制御チャネル（PDCCH）中のDCIフォーマット0にリザーブされている。DCIフォーマット0は、LTEリリース8中でサポートされている10個の異なるダウンリンク制御情報フォーマットのうちの1つであって、PDCCHの中で運ばれるものである。
【００５１】
LTEの基礎的時間周波数資源は、資源ブロック（RB）であって、RBは、時間領域中の1つのサブフレーム（1ミリ秒）、及び、15kHz間隔のダウンリンク上の12個の連続OFDM（直交周波数分割多重）サブキャリア又は同じく15kHz間隔のアップリンク上の12個の連続SC-FDMA（単一キャリア周波数分割多元接続）信号のいずれかのスパンをもっている。結果として、各RBは、180kHz帯域幅のスパンをもっている。図3は、LTEの基礎的時間周波数の設計を例示している。無線フレーム300は、10ミリ秒（ms）の存続時間をもっており、周波数領域中のある数の資源ブロック（RB）301及び時間領域中の10個の1ミリ秒のサブフレームのスパンをもっている。任意のLTE送信に使用されるRBの合計数は、システム帯域幅（BW）に比例する。例えば、5MHzのシステム帯域幅は、25個のRBを必要とする。一方、10MHzのシステム帯域幅は、50個のRB（各送信BWは、上部及び下部のガード帯域幅を含んでいる）を必要とする。LTEリリース8について指定されている最小システム帯域幅は、図3に例示されているように1.4MHz（6つのRB）であり、また最大の指定されている送信帯域幅は、20MHz（110個のRB）である。各々の資源ブロック301は、2つのスロット303及び304に分割され、各スロットは、6つ又は7つのダウンリンク上のOFDMシンボル又はアップリンク上のSC-FDMAシンボルのスパンをもっている（図3では7つが図示されている）。資源の最小単位は、資源要素302であって、これは、周波数領域の1つのキャリア及び時間領域の1つのシンボルのスパンをもっている。1つのシンボル当たりのビット数は、変調スキームの関数であって、1シンボルあたり2ビット（QPSK変調）から1シンボルあたり6ビット（64QAM）の間で変化することができる。いくつかの伝送モードにおいて、資源は、2以上のレイヤーにおいて空間多重化されることができる。
【００５２】
物理アップリンク共有チャネル（PUSCH）のための資源割り当て（これはアップリンクスケジューリング認可としても知られている）は、ダウンリンクサブフレーム中の最初の1，2又は3つのOFDMシンボル（狭帯域システムについて最大で4つのOFDMシンボル）中の物理ダウンリンク制御チャネル（PDCCH）中のシグナリングによって制御されており、図4に例示されているように、復調基準信号を除いて、全体システム帯域幅の上に広がっている。各ダウンリンクサブフレームのバランスは、復調基準シンボルを除いて、データ送信に用いられる物理ダウンリンク共有チャネル（PDSCH）を含んでいる。
【００５３】
サブフレーム中の第1のOFDMシンボルは、各サブフレームの中で制御チャネル情報の送信に用いられるOFDMシンボルの数を示す制御フォーマットインジケータ（CFI）を運ぶ制御フォーマットインジケータチャネル（CFICH）を含んでいる。CFIは、32ビットとして符号化されており、QPSKシンボルとして16個の資源要素（RE）に対応付けられている。周波数ダイバーシティを達成するために、UEがつねにPCFICHを見つけることができるようにPCFICHを運ぶ16のREが所定パターンにしたがって周波数領域にわたって分散させられている。
【００５４】
PDCCHは、ダウンリンク制御情報（DCI）として知られているメッセージを伝える。DCIは、資源分配及びUE又はUEグループに関するその他の情報を含んでいる。１つのサブフレーム中で数個のPDCCHが送信されることができる。各PDCCHは、1つ又は複数の制御チャネル要素（CCE）を使用して送信されており、各CCEは、資源要素グループ（REG）と呼ばれる4つのREの9つの集合に対応している。各REGには4つのQPSKシンボルが対応付けらる。
【００５５】
CCEの4つのPDCCHアグリゲーションレベルは、表1で例示されているように、LTERel-8においてサポートされている。
【表１】
2013507840.tif 000003
【００５６】
CCEは、連続的に番号付けされて使用される。復号プロセスを単純化するためには（PDCCHはセル固有の又はUE固有のスクランブル符号で符号化されている）、N個のCCEからなるフォーマットを備えたPDCCHが、図5のように、Nの倍数に等しい数を備えたCCEで始まるだけでよい。特定のPDCCHの送信に使用されるCCEの数は、伝搬路状況に基づいてeNodeBによって決定される。
【００５７】
DCIメッセージのフォーマット及びコンテンツは、eNodeBによって選択される伝送モードの関数である。LTE Rel-8は、7つのダウンリンク伝送モード及び10個のDCIフォーマットを指定する。表2は、7つのLTE Rel-8送信モードを識別し、表3は、10個のLTE Rel-8 DCIフォーマットを識別する。
【表２】
2013507840.tif 000004
【表３】
2013507840.tif 000005
【００５８】
表3にリストされている例示的ビット長は、PDCCH送信が正確に受信されたことをUEが決定することを可能ならしめる各PDCCHに追加された16ビットのCRCを包含している。さらに、各CRCは、セル固有の又はUE固有のコード、無線ネットワーク一時識別子（RNTI）でスクランブルされる。RNTIは、UEにはわかっていて、UEはそれを用いることによって、自分に向けられているメッセージを復号することができる。
【００５９】
各サブフレームにおいて、PDCCHは、アップリンク及びダウンリンクのための周波数領域資源割り当てを示す。LTE Rel-8は、数個のタイプの資源割り当てを指定する。
【００６０】
直接ビットマップ：ダウンリンク資源割り当てに使用される。ビットマップは、ビットごとに1つのRBを割り当てて、10個のRBより小さい帯域幅のために使用される。必要ビット数は、資源ブロックの数、NRBである。
【００６１】
資源割り当てタイプ0：ダウンリンク資源割り当てに使用される。ビットマップは、スケジュールされているUEに割り当てられる資源ブロックグループ（RBG）に対処する。ここで、RBGは、連続するRBの集合である。グループサイズP（1、2、3、4）は、システム帯域幅に依存する（BWが10個以下のRBである場合P＝1；  BWが11ないし26個のRBである場合P＝2； BWが27ないし63個のRB である場合P＝3；  BWが 64ないし110個のRBである場合P＝4）。必要ビット数は、NRB/Pである。
【００６２】
資源割り当てタイプ1：使用可能RBGの部分集合中の個別のRB及び当該RBG部分集合を示すシフトビットに対処するためにダウンリンク資源割り当てのために使用される。必要ビットの合計数は、タイプ0と同じ（すなわちNRB /P）である。
【００６３】
資源割り当てタイプ2：アップリンク及びダウンリンク資源割り当ての両方（及びアップリンク資源割り当てのためにRel-8で示されているRAプロトコルのみ）のために使用される。RA情報は、連続的に割り当てられているRBの集合を、スケジュールされているUEに示す。RB割り当ては、1つのRBから、システム帯域幅に広がっているRBの最大値までの間で変化することができる。タイプ2資源割り当てフィールドは、スタート資源ブロック番号（RBSTART）に対応する資源インジケーション値（RIV）及び連続的に割り当てられている資源ブロックの長さ（LCRB）からなっている。例えば、ダウンリンクのためのRIVは、次のように定義される：
LCRB−１＜＝[NDLRB／２]であるときは、RIV＝ NDLRB （LCRB−１）＋RBSTARTであって、そうでないときは、RIV＝ NDLRB （NDLRB ―LCRB＋１）＋（NDLRB ―１−RBSTART）である。
【００６４】
ここで、NDLRBは、ダウンリンク資源ブロックの数である。タイプ2資源割り当てに必要なビット数は、ceiling[log2（NRB(NRB +1)/2）]によって与えられる。
【００６５】
LTE Rel-8において、各UEは、PDCCHが配置され得るCCE位置の有限集合を分配される。任意のアグリゲーションレベル（1、2、4又は8）のCCEの集合によって形成される候補PDCCH位置の集合は、「サーチ空間」と呼ばれる。専用サーチ空間と共通サーチ空間とが別々に定義される。すなわち、専用サーチ空間は、各UEのために個別に構成され、それに対し、共通サーチ空間の範囲は、すべてのUEに知らされる。与えられたUEについて専用サーチ空間及び共通サーチ空間が重複することもある。図6は、同じeNodeBによってサービスされている2つのUEへのサーチ空間の例示的分配を例示している。各サブフレームにおいて、UEは、自己に分配されたRNTIを使用して、サーチ空間の各々のCCEから形成されることができるすべてのPDCCHを復号しようと試みる。CRCが確証されると、PDCCHのコンテンツがUEのために確証され、UEは制御情報を処理する。
【００６６】
ブラインド復号の試みの合計の数及び関連計算負荷を制限するために、UEは、各サーチ空間においてただ2つの異なるDCIフォーマットサイズを求めてサーチすることが要求される。共通サーチ空間では、すべてのDL伝送モード（1-7）に関し、UEは、DCIフォーマット0及びDCIフォーマット1A（この2つは、つねに同じサイズで、フラグビットによって区別される）並びにDCIフォーマット1Cを求めてサーチする。UEはまた、共通サーチ空間のDCIフォーマット3及び3Aも求めてサーチする（最後の2つは、フォーマット0及び1Aと同じであるが、資源割り当てのためではなくて、電力制御のために使用される）。共通サーチ空間内の候補位置の数は、6つの位置に制限される。すなわち、4CCEのアグリゲーションレベルの4つの位置と8CCEのアグリゲーションレベルの2つの位置に制限される。専用サーチ空間では、すべてのDL伝送モードに関し、UEはまた、DCIフォーマット0及び1Ａを求めてサーチする。UEが求めてサーチする第2のDCIフォーマットサイズは、DL伝送モードに依存する。伝送モード1、2及び7（表2参照）の場合、UEは、DCIフォーマット1を求めてサーチする。伝送モード3、4、5及び6では、UEは、DCIフォーマット2A、2、1D及び1Bをそれぞれ求めてサーチする。専用サーチ空間内の候補位置の数は、16の位置に制限される。すなわち、1CCEのアグリゲーションレベルの6つの位置、2CCEのアグリゲーションレベルの6つの位置、4CCEのアグリゲーションレベルの2つの位置、及び8CCEのアグリゲーションレベルの2つの位置に制限される。LTE Rel-8についてのサーチ空間、伝送モード、DCIフォーマット及び候補位置の間の関係は、表4に要約される。
【表４】
2013507840.tif 000006
【００６７】
DCIフォーマットサイズの数（各サーチ空間において2）及び候補位置の数（共通サーチ空間において6、専用サーチ空間において16）の結果として、UEが実行しなければならないブラインド復号の数は、44 [2 x (6 +16)]に制限される。
【００６８】
上でみたように、PUSCH上の資源割り当てをサポートするLTE Rel-8のただ１つのDCIフォーマットは、DCIフォーマット0であり、フォーマット0の資源割り当てプロトコルは、連続資源割り当てに制限される。LTE-Aのアップリンク上の不連続の（すなわちクラスター化されている）資源割り当てをサポートするためには、新規の資源割り当てプロトコルが必要である。
【００６９】
1つの設計問題は、LTE-Aでサポートされるアップリンク上のシングルユーザーMIMO(SU-MIMO)オペレーションのサポートと新規の資源割り当てプロトコルのサポートとをどのように組み合わせるかである。もし新規の資源割り当てプロトコルのサポートとアップリンクSU-MIMOのサポートとが共して考慮されるのではないとすると、これらの2つの特徴のために2つの別々のDCIフォーマットが必要になる。もし2つのDCIフォーマットが異なるサイズであるとすると、これはブラインドPDCCH復号の数を増加させる可能性がある。したがって、UEがアップリンクSU-MIMOモードで構成されている場合、UEは、単一のDCIを使用して、SU-MIMOオペレーションと新規の資源割り当てプロトコルの両方をスケジュールすることができなければならない。
【００７０】
もう1つの問題は、新規の資源割り当てと残存LTE Rel-8連続資源割り当てのサポートである。クラスター化アップリンク資源割り当て能力のあるUEの場合であってもなお、アップリンク資源割り当てに基づいてLTE Rel-8シングルキャリア波形をUEに分配することができることが望まれる。その理由は、連続資源割り当てが、優れたアップリンクCM(cubic-metric)特性を提供し、リンク予算制限のあるUEにとって有益であるからである。さらに、Rel-8資源割り当ての可能化は、1サブフレーム中の新規UE及び残存UE（これらは連続資源割り当てのみをサポートする）のスケジューリングを容易にする。したがって、クラスター化アップリンク資源割り当て能力のあるUEは、新規の資源割り当てプロトコル及びRel-8残存資源割り当てプロトコルによりダイナミックなやり方でスケジュールされることができなければならない。この2重スケジューリング能力は、2つの異なるDCIによって可能にされることができる。代替的に、使用中の資源割り当てプロトコルを区別する1ビットの単一のDCIによって、2つの資源割り当てプロトコルを伝えることもできる。
【００７１】
多重クラスター資源割り当てにおける1つの設計問題は、クラスターの数が明示的に制限される必要があるかである。クラスター数は、UEによって送信されるピーク電力対平均電力比に関係するパラメータであるアップリンクCM（cubic metric）に大きなインパクトを与える。このパラメータは、できるかぎり小さくされるべきである。一般に、クラスター数の増加は、CMを増加させる（否定的インパクト）。しかし、クラスターの数の増加にともなって、CMのマージナル増加は減少する。クラスター数はまた、UL帯域幅利用の観点からスケジューリング効率にも影響を与える。一般に、クラスター数の増加にともなって、スケジューリング効率が増加する。結局、クラスター数は、ダウンリンク（PDCCH）上の資源割り当てシグナリングの複雑度に影響を与える。以下の説明において、便宜上2個のクラスターを使用して、多重クラスター資源割り当ての例が与えられる。しかしながら、本件明細書記載の1つ又は複数の実施形態は、明示的な上限なく、2以上のクラスターのための資源割り当てプロトコルに対処するために使用可能であることが理解される。
【００７２】
多重クラスター資源割り当てのための新規のUL資源割り当てシグナリングは、新規のDCIフォーマットの設計を必要とする。特定の設計にかかわらず、ブラインド復号の合計数をLTE Rel-8で使用される数（44）以上に増加させることなく新規DCIフォーマットを実行することが望まれる。ブラインド復号の数が少しでも増えると、それだけUE複雑性が高まることとなり、また誤検知の可能性が高くなる（16ビットCRCは、2-16の誤検知確率を持っている）。誤検知は、意図せざるアップリンク伝送（例えば、誤ったACK/NACKシグナリング及びPUSCHスケジューリング）を引き起こすことにより、パフォーマンスに否定的影響を及ぼす。
【００７３】
UL多重クラスター資源割り当て及びUL SU-MIMOをサポートするために新規DCIフォーマットを構成することについて、少なくとも2つのオプションがある。便宜上、新規DCIフォーマットをフォーマット0’（ゼロプライムと読む）と名付けておこう。1つのオプションでは、DCIフォーマット0’は、DCIフォーマット0に置き換わってもよく、その場合、それは、フォーマット0とフォーマット1Aを区別するためにRel-8で使用されるのと同じ1ビットのフラグによって、DCIフォーマット1Aから区別されることができる。もう1つのオプションでは、フォーマット0及び1Aを維持しながら、DCIフォーマット0’を付加してもよく、その場合、3つのフォーマットは、2ビットのフラグによって区別することができる。いずれのオプションにおいても、DCIフォーマット0’の多重クラスター資源割り当てがフォーマット0又はフォーマット1Aより多くのビット数を必要とする場合、後者のフォーマットは、DCIフォーマット0’のサイズと一致するようにゼロパッドがなされることができる。
【００７４】
LTE Rel-8において、DCIフォーマット0は、指定された順序で以下の情報を含んでいる：
・フォーマット0とフォーマット1Aを区別するためのフラグ（2つのフォーマットはつねに同じサイズであることを強いられるので）：1ビット、
・PUSCH周波数ホッピングであることを示すフラグ：1ビット
・資源ブロック分配及びホッピング資源割り当て：[log2(NULRB(NULRB +1)/2)]-NHOULビット、ここで、NULRBは、割り当てられている連続資源ブロックの数で、NHOULは、ホッピングを示すために使用されるビットの数である（NULRB ＜50の場合1ビット、NULRB ＞＝50の場合2ビット）。
【００７５】
・MCS（変調・符号化スキーム）：5ビット、
・HARQプロセス番号：3ビット（FDD）、4ビット（TDD）、
・新規データインジケータ：1ビット、
・冗長度バージョン：2ビット、
・PUCCHのためのTPC（送信器電力制御）コマンド：2ビット、
・TDD UL/DL設定1-6のためのDAI（ダウンリンク分配インデックス）：2ビット、
・フォーマット1Aと一致するために必要とされるゼロパッディングビット（フォーマット1Aがより大きい場合）
1つの実施態様において、DCIフォーマット0’のための資源割り当てプロトコル（RAシグナリング）の設計は、RAフィールドビット及び／又はDCIフォーマット0の周波数ホッピングフラッグを共同して再利用することができる。資源割り当てビットの合計数及び周波数ホッピングフラグビットは、次に、DCIフォーマット0’によって提供される資源インジケーション値（RIV）の数に対処するために使用されることができる。上でみたように、Rel-8 DCIフォーマット0の資源割り当てのために使用されるビット数は、ceiling[log2（NRB(NRB +1)/2）]によって与えられる。
【００７６】
以下の説明において、C(n,k)という表現（「n選択k」と読む）は、n個の要素の集合から反復なく選択されることができるk個の要素の組み合わせの数を表す関数n!/k!(n-k)!を提供する。例えば、長さ2から長さ10までのRBのあらゆる連続クラスターを定義するために10個のRBの集合から開始RB及び終了RB（2つのRB）を選ぶにはC(10,2)＝45通りの方法がある。2つのクラスターを形成するすべての可能な方法を定義するために、10個のRBの集合から開始RB及び終了RBの2つの集合を選ぶにはC(10,4)＝210通りの方法がある。反復（例えば、1ないしk-1の長さのグループを含めるために同じ要素を複数回選択すること）が許されると、可能な組み合わせの数は、C(n+1,k)で与えられる。
【００７７】
1つの実施態様において、Ｎ個の資源ブロックを割り当てるDCIフォーマット0′のための設計は、多重クラスター（例えば、2クラスター）資源割り当てと、ホッピング組み合わせなしの単一クラスター資源割り当てと、及びホッピング組み合わせありの単一クラスター資源割り当てとのために、1RB解（１RBの割り当て解）を提供する。反復を許す組み合わせの合計数は、C(NRB +1, 4) + 2*C(NRB +1, 2)によって与えられる。表5は、6つのRB(1.4MHz)から100のRB(20MHz)までの帯域幅に必要とされる資源割り当てビットの対応数をリストしている。
【表５】
2013507840.tif 000007
【００７８】
別の実施態様において、DCIフォーマット0’のための設計は、周波数ホッピングあり及びなしのRel-8タイプの資源割り当て（単一クラスター）のために1RB割り当て解を提供し、及びLTE Rel-8 DL タイプ 0/1に対応するRBGサイズPの資源ブロックグループ（RBG）割り当て解を2クラスター割り当てのために提供する（NRB＜10の場合P＝1、11＜＝NRB＜＝26 RBの場合P＝2、27＜＝ NRB＜＝63の場合P＝3、及び64＜＝NRB＜＝110 RB の場合P＝4）。組み合わせの合計の数は、C[ceiling(N/P)+1, 4] + 2*C(N+1, 2)によって与えられる。表6は、6つのRBないし100のRBの帯域幅に必要とされる資源割り当てビットの対応数をリストしている。
【表６】
2013507840.tif 000008
【００７９】
別の実施形態において、LTE Rel-8 DCIフォーマット0と同じサイズのDCIフォーマット0’の設計は、周波数ホッピングあり及びなしの単一クラスター資源割り当てのために1RB割り当て解を提供し、またRBGサイズPがLTE Rel-8ダウンリンク割り当てサイズに結び付けられていないRBG割り当て解を2クラスター割り当てのために提供する。この実施形態における2クラスター資源割り当てに関し、RBGサイズPは、次のように定義されることができる：NRB＜10の場合P＝2、11＜＝NRB＜＝26RBの場合P＝3、27＜＝NRB ＜＝63RBの場合P＝4、64＜＝NRB ＜＝110RBの場合P＝5である。組み合わせの合計数は、Pが再定義された上でのC[ceiling(N/P)+1, 4] + 2*C(N+1, 2)]によって再び与えられる。表7は、6つのRBないし100のRBまでの帯域幅について必要とされる資源割り当てビットの対応数をリストしている。
【表７】
2013507840.tif 000009
【００８０】
別の実施態様において、DCIフォーマット0’の設計は、Rel-8タイプの単一クラスター資源割り当てのために1RB割り当て解を提供し、LTE Rel-8 DL タイプ 0/1資源割り当てに対応するRBGサイズPのRBG割り当て解を部分的帯域幅上の2クラスター割り当てのために提供する（NRB＜10の場合P＝1、11＜＝NRB＜＝26RBの場合P＝2、27＜＝NRB ＜＝63の場合P＝3、64＜＝NRB ＜＝110RBの場合P＝4である）。この実施態様において、完全システム帯域幅未満の帯域幅がPUSCH上に割り当てられる。この帯域幅削減が可能になるのは、HARQ肯定応答、スケジューリング要求及びチャネル状況報告のようなアップリンク制御シグナリングのためにUEが帯域幅の端のPUSCH資源ブロックを使用し、UEが割り当てを必要としないからである。表8は、2クラスター割り当てのために割り当てられる帯域幅が完全帯域幅の80％である場合に必要とされる資源割り当てビット数を例示している。組み合わせの合計数は、C[ceiling(N’/P)+1, 4] + 2*C(N’+1, 2)によって与えられる。ここで、Ｎ’は、有効帯域幅（N’＝ceiling[0.8* NRB]）である。この実施形態は、大多数の帯域幅について、DCIフォーマット0と同じサイズであるDCIフォーマット0’に対処するものである。
【表８】
2013507840.tif 000010
【００８１】
代替的実施例において、DCIフォーマット0’の設計は、Rel-8タイプの単一クラスター資源割り当てのために1RB割り当て解を供給し、LTE Rel-8 DL タイプ 0/1資源割り当てに対応するRBGサイズPのRBG割り当て解を2クラスター割り当てのために提供する（NRB＜10の場合P＝1、11＜＝NRB＜＝26RBの場合P＝2、27＜＝NRB ＜＝63の場合P＝3、64＜＝NRB ＜＝110RBの場合P＝4である）。しかしながら、この実施態様において、2クラスター割り当てのために分配される資源ブロックの数の最大値は、資源割り当てに必要なビット数がフォーマット0及びフォーマット0’について同じになるように、制限されることができる。
【００８２】
クラスター化アップリンク資源割り当て及びSU-MIMOオペレーションをサポートするために、空間多重化と関連している送信モードに結び付けられている現在のDCIフォーマットに基づくアップリンク資源割り当てのための新規DCIフォーマットを定義することが望まれる。新規DCIフォーマットは、DCIフォーマット0’に加えて又はDCIフォーマット0’に代わって定義されてもよい。例えば、開ループ空間多重化及び閉ループ空間多重化のためのDL伝送モード3及び4は、それぞれDCIフォーマット2Ａ及び2に結び付けられる（表4参照）。新規UL DCI 2’及び2A’は、UL Dブラインド復号の必要数を増加させず、かつ、PUSCH上のタイプ0及びタイプ1の資源割り当てを無制限に提供することができる。表9は、フォーマット0’、2’及び 2A’が現在のRel-8 DCIフォーマットに追加されるときのDCIフォーマット構造を例示している。
【表９】
2013507840.tif 000011
【００８３】
代替的に、新規DCIフォーマットは、すべての現在のダウンリンク伝送モード依存DCIフォーマット(1/1B/1D/2/2A)と一致するように設計されることができる。この方法によって、アップリンク資源分配のための資源割り当てシグナリングは、DCIフォーマット1、2及び2Aが適用可能なときのタイプ0及びタイプ1の資源割り当てシグナリングと同じになるようにされることができる。DCIフォーマット1B及び1Dは、タイプ2の資源割り当て（ギャップ・パラメータの追加のある割り当て）を提供し、新規DCIフォーマット1B’及び1D’は、DCIフォーマット0’と同じになるように定義されることができる。DCIフォーマット1B及び1Dは、プリコーディング及び電力制御ビットの存在によりDCIフォーマット1A及び0より大きくなる。この追加分のビットは、アップリンク資源割り当てのためには必要ではなく、RAシグナリングにおいて柔軟性を追加する必要があるときに新フォーマット1B’及び1B’の中で再定義されることができる。アップリンク資源割り当て及びダウンリンク資源割り当ての間の区別のために古いDCIフォーマットと新規DCIフォーマットの各々においてフラグビットが必要になるということが認識されるだろう。このビットは、現在のフォーマット内に再分配されるか、又は新しく追加されることができる。表10は、フォーマット0’、1’、1B’、1D’、2’及び2A’が現在のRel-8 DCI フォーマットに追加されるときのDCIフォーマット構造を例示している。
【表１０】
2013507840.tif 000012
【００８４】
このアプローチは、アップリンク上の多重クラスターシグナリング及びSU-MIMOオペレーションの両方をサポートする。さらに、それは残存デバイスのためのLTE Rel-8シグナリングをサポートし、Rel-8上のブラインド復号の必要数の増加はなく、かつ、クラスター数についての明示的な制限もない。
【００８５】
LTEリリース9(Rel-9)において、新規DL伝送モード（モード8）の一部として二重ストリームビームフォーミングをサポートするために新規DCIフォーマット2Bが導入されてもよい。新規のDCIフォーマット2B’を定義するために上記のアプローチが同じようにうまく適用され得ることが認識されるだろう。
【００８６】
上記の方法でDCIフォーマットをリンクすることは、アップリンク伝送モードとダウンリンク伝送モードを束ねることと解釈してもよく、このことは、例えば、あるUEがダウンリンク中のモード4（閉ループ空間多重化）のために構成されれば、そのUEはアップリンク中の空間多重化のある形式のためにも構成されるということを意味している。
【００８７】
代替的に、アップリンク伝送モード及びダウンリンク伝送モードの構成は、サイズ一致にのみ関係のあるDCIフォーマットのリンク並びに異なるDCIサイズ及びサーチ空間の数についての制約に対して独立的であるようにすることもできる。例えば、UEは、ダウンリンク中の伝送モード4及びアップリンク中のSIMOオペレーションで構成してもよく、この場合、SIMOアップリンク分配のためにDCIフォーマット2’（フォーマット2’とフォーマット2のサイズは一致）を使用することができる。別の例において、UEは、ダウンリンク上の伝送モード4及びアップリンク上のSU-MIMOオペレーションで構成してもよく、この場合、SU-MIMOアップリンク分配（たぶんダイナミックなランク適応によるもの）及びたぶんMU-MIMO分配のためにDCIフォーマット2’を使用することができる。
【００８８】
UEのために使用されるDCIフォーマットサイズは、ダウンリンク伝送モード又はアップリンク伝送モードによって駆動されることができる。例えば、UEがダウンリンク伝送モード3で構成されている場合、フォーマット1A/0及びフォーマット2（又は新規のビットがアップリンクフォーマットとダウンリンクフォーマットを区別するために定義される場合にあっては同じものの改訂版）のサイズによって2つのDCIフォーマットサイズが駆動されることをUEは認識している。
【００８９】
本件明細書記載のDCIフォーマットの修正物が設計仕様（すなわち、UEカテゴリーに依存するハードコードの仕様）ごとに又は本技術分野において周知の高位層シグナリング（例えば、レイヤー3のシグナリング）によって可能化されてもよいことが認識されるだろう。
【００９０】
図7は、1つの提供されている実施形態に準拠している方法700を例示している流れ図である。説明の単純化の目的のために、本方法は一連のオペレーションとして図示・説明されている。本方法は、オペレーションの順序によって制限されるものではないということが理解されるべきである。なぜなら、１つ又は複数の実施形態において、いくつかのオペレーションは、本件明細書において図示・説明されているオペレーションとは異なる順番及び／又は他のオペレーションと同時に生起することができるからである。例えば、当業者であれば、本件発明の方法が、代替的に、相互に関係のある一連の状態又はイベント（例えば、状態遷移図におけるもののようなもの）として表され得るということを理解し認識するであろう。さらに、1つ又は複数の開示されている実施形態において、発明の方法を実現するために、必ずしもすべての例示されているオペレーションが必要であるとも限らない。
【００９１】
図7において、方法700は、ダウンリンク制御チャネル内のダウンリンク制御情報（DCI）を受信するオペレーション702に始まる。ここにおいて、ダウンリンク制御情報は、クラスター化アップリンク資源割り当てプロトコル又は連続アップリンク資源割り当てプロトコルによるアップリンク資源の割り当てを示すように構成されている。オペレーション704において、本方法は、クラスター化アップリンク資源割り当てプロトコル及び連続アップリンク資源割り当てプロトコルのうちのいずれが示されているか検知することにより継続する。オペレーション706において、本方法は、示されているアップリンク資源割り当てプロトコルに基づいてアップリンク資源を割り当てることにより終了する。
【００９２】
図8は、上述の様々なオペレーションをサポートすることができる例示的なシステム800を示している。システム800は、情報、信号、データ、命令、コマンド、ビット、シンボル及びその他同種のものを送信及び／又は受信することができる基地局820を含んでいる。基地局820は、ワイヤレスネットワーク810を利用して、ダウンリンク（順方向チャネル）860及びアップリンク（逆方向チャネル）870によってユーザー設備（UE）830と通信をすることができる。UE 830は、情報、信号、データ、命令、コマンド、ビット、シンボル及びその他同種のものを送信及び／又は受信することができる。さらに、図示はされていないものの、基地局820と同様の任意の数の基地局がシステム800には包含可能であり、及び／又はUE 830と同様の任意の数のUEがシステム800に包含可能であるということが考えられる。
【００９３】
基地局820は、ダウンリンク860中の制御チャネルによりユーザー設備830に対してクラスター化アップリンク資源割り当てプロトコル850を伝える資源割り当てコンポーネントを含むものであってもよい。ユーザー設備830は、ダウンリンク制御チャネル内のダウンリンク制御情報（DCI）を受信するように構成されることができる。ここにおいて、ダウンリンク制御情報は、クラスター化アップリンク資源割り当てプロトコル又は連続アップリンク資源割り当てプロトコルによるアップリンク資源の割り当てを示すように構成されている。ユーザー設備830は、クラスター化アップリンク資源割り当てプロトコル及び連続アップリンク資源割り当てプロトコルのうちのいずれが示されているか検知し、示されているアップリンク資源割り当てプロトコルに基づいてアップリンク資源を割り当てるように構成されている資源配分プロセッサ854を含むものであってもよい。ユーザー設備830はまた、構成されている伝送モードに基づいてMIMOオペレーションを処理するように構成されているMIMOプロセッサ856を含むものであってもよい。
【００９４】
図9は、本件開示の実施形態が実行されることができるワイヤレス通信システム900を例示している。システム900は、ダウンリンク制御チャネル内のダウンリンク制御情報（DCI）を受信するように構成されている論理モジュール902を含んでいる。ここで、ダウンリンク制御情報は、クラスター化アップリンク資源割り当てプロトコル又は連続アップリンク資源割り当てプロトコルによるアップリンク資源の割り当てを示すように構成されている。システム900はまた、クラスター化アップリンク資源割り当てプロトコル及び連続アップリンク資源割り当てプロトコルのうちのいずれが示されているか検知するように構成されている論理モジュール904も含んでいる。システム900はまた、クラスター化アップリンク資源割り当てプロトコルに基づいてアップリンク資源を割り当てるように構成されている論理モジュール906を含むものであってもよい。
【００９５】
図10は、様々な本件開示の実施形態が実行されることができる装置1000を例示している。特に、図10に示されている装置1000は、基地局の少なくとも一部又はユーザー設備の少なくとも一部（図8に描かれている基地局820及びユーザー設備830のようなもの）及び／又は送信器システム若しくは受信器システムの少なくとも一部（図2に描かれている送信器システム210及び受信器システム250のようなもの）を含むものであってもよい。図10に描かれている装置1000は、ワイヤレスネットワーク内に存在し、例えば、1つ又は複数の受信機及び／又は適切な受信及び復号回路（例えば、アンテナ、送受信器、復調器など）を経由して入って来るデータを受信するものであってもよい。図10に描かれている装置1000はまた、例えば、1つ又は複数の送信器及び／又は適切な符号化及び送信回路（例えば、アンテナ、送受信器、変調器など）を経由して出て行くデータを送信することもできる。追加的に又は代替的に、図10に描かれている装置1000は、有線ネットワーク内に存在するものであってもよい。
【００９６】
図10は、装置1000が信号の調整、解析及びその他同種のもののような1つ又は複数のオペレーションを実行するための命令を保存することができるメモリ1002を含むことができることをさらに例示している。さらに、図10の装置1000は、メモリ1002内に蓄積されている命令及び／又は別のデバイスから受け取られる命令を実行することができるプロセッサ1004を含むものであってもよい。その命令は、例えば、装置1000又は関連の通信装置を構成する又は操作することに関係するものであってもよい。図10に描かれているメモリ1002は、単一のブロックとして示されているものの、別々の物理的及び／又は論理的ユニットを構成する2つ以上の別々のメモリを具備するものであってもよいことが注目されるべきである。さらに、前記メモリは、プロセッサ1004に通信可能的に接続されているものの、図10に描かれている装置1000の完全に又は部分的に外部に存在するものであってもよい。また、図8に示されている資源割り当てコンポーネント840、資源配分プロセッサ854、及びMIMOプロセッサ856のような1つ又は複数のコンポーネントは、メモリ1002のようなメモリの内部に存在することができるということも理解されるべきである。
【００９７】
本件開示の実施形態に関連して説明されているメモリは、揮発性メモリ又は不揮発性のメモリのいずれかであってもよく、また揮発性及び不揮発性メモリの両方を含むものでもあってもよいということが認識されるであろう。例示として、不揮発性メモリは、読み取り専用メモリ（ROM）、プログラマブルROM(PROM)、電気的PROM(EPROM)、電気的消去可能PROM(EEPROM)又はフラッシュメモリを含むことができるが、これらに限られるものではない。揮発性メモリは、外部キャッシュメモリとして働くランダムアクセスメモリ（RAM）を含むことができる。例示として、RAMは、同期RAM(SRAM)、ダイナミックRAM(DRAM)、同期DRAM(SDRAM)、ダブルデータレートSDRAM(DDR SDRAM)、エンハンスSDRAM(ESDRAM)、シンクリンクDRAM(SLDRAM)及び直接ランバスRAM(DRRAM)のような多くの形式において利用可能であるが、これらに限られるものではない。
【００９８】
図10の装置1000は、ユーザー設備又はモバイルデバイスといっしょに使用されるものであってよく、例えば、SDカード、ネットワークカード、ワイヤレスネットワークカード、コンピュータ（ラップトップ、デスクトップ、PDA(携帯情報端末)）、モバイルフォン、スマートフォン、又はその他の適切な端末であってネットワークにアクセスするために利用されることができるもののようなモジュールであってよいということもまた注目されるべきである。ユーザー設備は、アクセスコンポーネント（不図示）によりネットワークにアクセスする。一例において、ユーザー設備とアクセスコンポーネントとの接続は、実質的にワイヤレスであってよく、アクセスコンポーネントが基地局で、ユーザー設備がワイヤレス端末であってよい。例えば、端末と基地局は、時分割多元接続（TDMA）、符号分割多元接続（CDMA）、周波数分割多元接続（FDMA）、直交周波数分割多重（OFDM）、フラッシュOFDM、直交周波数分割多元接続（OFDMＡ）又は他の適切なプロトコルを含む（これらに限られるものではない）何らかの適切なプロトコルによって通信をすることができる。
【００９９】
アクセスコンポーネントは、有線ネットワーク又はワイヤレスネットワークに関連したアクセスノードであってもよい。その目的のために、アクセスコンポーネントは、例えば、ルータ、スイッチ、又は同等なものであってもよい。アクセスコンポーネントは、他のネットワークノードと通信をするために、1つ又は複数のインターフェース（例えば、通信モジュール）を含むことができる。さらに、アクセスコンポーネントは、基地局（又はワイヤレスアクセスポイント）が複数の加入者にワイヤレス通信カバレッジエリアを提供するために利用されるセルラー型ネットワークにおける基地局（又はワイヤレスアクセスポイント）であってもよい。そのような基地局（又はワイヤレスアクセスポイント）は、1つ又は複数のセルラーフォン及び／又はワイヤレス端末に対して連続する通信カバレッジエリアを提供するように配備されることができる。
【０１００】
本件明細書記載の実施形態及び特徴は、ハードウェア、ソフトウェア、ファームウェア又はこれらのものの任意の組み合わせによって実装可能であることが理解されるべきである。本件明細書記載の様々な実施形態は、方法又はプロセスの一般的文脈で説明されている。この方法又はプロセスは、1つの実施形態において、ネットワーク環境中のコンピュータによって実行されるプログラムコードのようなコンピュータ実行可能命令を含むコンピュータ可読媒体に具体化されているコンピュータプログラムプロダクトによって実行されることができる。上で注目されたように、メモリ及び／又はコンピュータ可読媒体は、取り外し可能及び取り外し不能な記憶装置、例えば、読み取り専用メモリ（ROM）、ランダムアクセスメモリ（RAM）、コンパクトディスク（CD）、デジタルバーサタイルディスク（DVD）及び同様のもの（これらに限られるものではない）を含むものであってもよい。諸機能は、ソフトウェア中で実行されるとき、1つ又は複数の命令又はコードとして、コンピュータ可読媒体に格納される、又はその上で送信されるものであってもよい。コンピュータ可読媒体は、コンピュータ記憶装置媒体と、ある場所から別の場所へのコンピュータプログラムの転送を容易にする何らかの媒体を含む通信媒体との両方を含んでいる。記憶媒体は、汎用目的又は専用目的のコンピュータによってアクセスされることができる任意の使用可能な媒体であってもよい。実例として、かつ非制限的列挙として、そのようなコンピュータ記憶媒体は、RAM、ROM、EEPROM、CD-ROM又は他の光ディスク記憶、磁気ディスク記憶又は他の磁気記憶デバイス、スマートカード、フラッシュメモリデバイス（例えば、カード、スティック、キードライブ…）若しくは他の任意の媒体であって命令又はデータ構造の形式の所望のプログラムコードを伝達又は記憶するために使用可能でかつコンピュータによってアクセス可能なものを含むことができる。
【０１０１】
さらに、どんな接続も適切にコンピュータ可読媒体と名付けられる。例えば、もしソフトウェアがウェブサイト、サーバ、又は他の離れた情報源から、同軸ケーブル、光ファイバケーブル、ツイストペアケーブル、デジタル加入者線(DSL)又はワイヤレス技術（例えば、赤外線、無線及びマイクロ波など）を使用して送信されるのであれば、そうした同軸ケーブル、光ファイバケーブル、ツイストペアケーブル、DSL又はワイヤレス技術（例えば、赤外線、無線及びマイクロ波など)もまた、媒体の定義に含まれる。本件明細書で使用されているようなディスク（disk and disc）は、コンパクトディスク（CD）、レーザディスク、光ディスク、デジタルバーサタイルディスク(DVD)、フレキシブルディスク及びブルーレイディスクを含む。ここで、diskは、通常、データを磁気的に再生するものをいい、discは、レーザを用いてデータを光学的に再生するものをいう。上記のものの組み合わせもまた、コンピュータ可読媒体の範疇に含まれるべきである。
【０１０２】
一般に、プログラムモジュールは、特別のタスクを実行し又は特定の抽象データタイプを実装するルーチン、プログラム、オブジェクト、コンポーネント、データ構造などであってもよい。コンピュータ実行可能命令、関連するデータ構造及びプログラムモジュールは、本件明細書記載の方法のステップを実行するためのプログラムコードの例を表わしている。そのような実行可能命令又は関連データ構造の特別のシーケンスは、そのようなステップ又はプロセスにおいて本件明細書記載の諸機能を実装するための対応するアクションの例を表わしている。
【０１０３】
本明細書記載の実施形態に関連して説明されている様々な例示的な論理ブロック、モジュール、及び回路は、汎用目的プロセッサ、デジタル信号プロセッサ(DSP)、特定用途向けのIC(ASIC)、フィールドプログラマブルゲートアレイ(FPGA)又は他のプログラマブル論理デバイス、離散的ゲート又はトランジスタ論理、離散的ハードウェアコンポーネント、又はこれらの任意の組み合わせであって、本明細書記載の機能を実現するように設計されたものによって実装されることができる。汎用目的プロセッサは、マイクロプロセッサであってもよいが、そのかわりに、任意の通常のプロセッサ、コントローラ、マイクロコントローラ、又は状態機械であってもよい。プロセッサは、計算装置の組み合わせとして、例えば、DSPとマイクロプロセッサとの組み合わせ、複数のマイクロプロセッサ、DSPコアと結合した1つ又は複数のマイクロプロセッサ、又は他の任意の同様の機器構成として、実装されることもできる。さらに、少なくとも1つのプロセッサは、上述のステップ及び／又はアクションの1つ又は複数を実行する動作を行う1つ又は複数のモジュールを含むものであってもよい。
【０１０４】
ソフトウェア実装に関し、本件明細書記載の技術は、本件明細書記載の諸機能を実行するモジュール（例えば、手順、関数など）で実装されることもできる。ソフトウェアコードは、記憶ユニットに格納され、プロセッサによって実行されてもよい。記憶ユニットは、プロセッサの内部及び／又は外部において実装されるものであってよく、この場合、記憶ユニットは、本件技術分野で知られているような様々な手段によってプロセッサと通信可能的に連結されることができる。さらに、少なくとも1つのプロセッサは、本件明細書記載の諸機能を実行するように動作するようになっている1つ又は複数のモジュールを含むことができる。
【０１０５】
本件明細書記載の技術は、符号分割多元接続、TDMA、FDMA、OFDMＡ、SC-FDMA及び他のシステムのような様々なワイヤレス通信システムのために使用することができる。「システム」、「ネットワーク」という用語は、しばしば交換可能的に使用される。CDMAシステムは、UTRA(Universal Terrestrial Radio Access)、cdma2000等のような無線技術を実装することができる。UTRAは、W-CDMA（ワイドバンドCDMA）及びCDMAの他の変形を含んでいる。さらに、cdma2000は、IS-2000、IS-95及びIS-856標準をカバーしている。TDMAシステムは、GSM （Global System for Mobile Communications)のような無線技術を実装することができる。OFDMAシステムは、E-UTRA （Evolved UTRA）、UMB(Ultra Mobile Broadband)、IEEE 802.11 (Wi-Fi)、 IEEE 802.16 (WiMAX)、 IEEE 802.20、フラッシュ-OFDM(登録商標)等のような無線技術を実装することができる。UTRA及びe-UTRAは、UMTS（Universal Mobile Telecommunication System）の一部である。3GPP-LTE(Long Term Evolution)は、ダウンリンク上でOFDMAを採用しアップリンク上ではSC-FDMAを採用するE-UTRAを使用するUMTSのリリースである。UTRA、 E-UTRA、 UMTS、 LTE-A及び GSMは、3GPPという名称の機関から出されている文献の中で説明されている。さらに、cdma2000とUMBは、3GPP2という名の機関から出されている文献の中で説明されている。また、そのようなワイヤレス通信システムは、さらに不対の許可不要スペクトラム、802.xxワイヤレスＬＡＮ、BLUETOOTH（登録商標）及び他の任意の短距離又は長距離のワイヤレス通信技術をしばしば使用するピア・ツー・ピア（例えば、ユーザー設備とユーザー設備）のアドホックネットワークシステムをさらに含むことができる。
【０１０６】
単一キャリア変調及び周波数領域等化を利用するSC-FDMA（単一キャリア周波数分多元接続）は、本件開示の実施形態とともに利用されることができる技術である。SC-FDMAは、OFDMＡシステムと同様のパフォーマンスを有し、実質的に同等の全体的複雑度を有している。SC-FDMA信号は、その固有の単一キャリア構造の故に、より低いピーク電力対平均電力比（PAPR）を有している。SC-FDMAは、より低いPAPRが送信電力効率の点でユーザー設備に利益をもたらすアップリンク通信において利用されることができる。
【０１０７】
さらに、本件明細書記載の様々な態様又は特徴は、標準的プログラミング及び／又はエンジニアリングの技法を用いて、方法、装置、又は製造物として実装されることができる。本件明細書において使用されているような「製造物」「モジュール」「装置」という語は、任意の適切なコンピュータ可読デバイス、キャリア又は媒体からアクセス可能なコンピュータプログラムを含むことを意図している。実例として、かつ非制限的列挙として、そのようなコンピュータ記憶媒体は、RAM、ROM、EEPROM、CD-ROM又は他の光ディスク記憶、磁気ディスク記憶又は他の磁気記憶デバイス、スマートカード、フラッシュメモリデバイス（例えば、カード、スティック、キードライブ…）若しくは、他の任意の媒体であって命令又はデータ構造の形式の所望のプログラムコードを伝達又は記憶するために使用可能でかつコンピュータによってアクセス可能なものを含むことができる。さらに、本件明細書記載の様々な記憶媒体は、1つ又は複数のデバイス及び／又は他の情報蓄積用機械可読媒体を表わすことができる。「機械可読媒体」という語は、ワイヤレスチャネル、並びに命令及び／又はデータを蓄積・格納及び／又は搬送する能力のある他の媒体を含むことができるが、これらに限られるものではない。さらに、コンピュータプログラムプロダクトは、コンピュータに本件明細書記載の諸機能を実行させるように動作する1つ又は複数の命令又はコードを有するコンピュータ可読媒体を含むことができる。
【０１０８】
さらに、本件明細書記載の実施態様に関して説明されている方法又はアルゴリズムのステップ及び／又はアクションは、ハードウェア、プロセッサによって実行されるソフトウェアモジュール、又は2つの組み合わせで直接具体化されてもよい。ソフトウェアモジュールは、RAMメモリ、フラッシュメモリ、ROMメモリ、EPROMメモリ、EEPROMメモリ、レジスタ、ハードディスク、取外し可能ディスク、CD-ROM又は本件技術分野における公知の他の任意の形式の記憶媒体の中に存在するものであってもよい。例えば、記憶媒体は、プロセッサが情報を読み出したり、情報を書き込んだりすることができるように、プロセッサに結合されているものであってもよい。代替的に、記憶媒体は、プロセッサと一体化されたものであってもよい。さらに、いくつかの実施態様において、プロセッサと記憶媒体は、ASIC内に存在するものであってもよい。さらに、ASICは、ユーザー設備（例えば、830の図8）内に存在するものであってもよい。代替的に、プロセッサと記憶媒体は、ユーザー設備中に個別部品として存在するものであってもよい。さらに、いくつかの実施態様において、方法又はアルゴリズムのステップ及び／又はアクションは、コード又は命令の1つ又は任意の数の組み合わせ又は集合として機械可読媒体及び／又はコンピュータ可読媒体（コンピュータプログラムプロダクト中に組み込み可能）上に存在するものであってもよい。
【０１０９】
以上の説明は例示的実施形態について論じているものの、本件明細書では、添付の特許請求の範囲によって規定されているような本件開示の実施形態の範囲から逸脱することなく様々な変形及び修正が可能であるということが注目されなければならない。したがって、本件開示の実施形態は、添付の特許請求の範囲の範囲以内にあるような変更、修正及び変形をすべて包含するように意図されている。さらに、本件開示の実施形態の要素は、単数形で説明又は請求されているかもしれないが、単数形に限ると明示的に述べられている場合を除いて、複数形が考えられる。さらに、任意の実施形態の全部又は一部は、特にそうでないと断わっている場合を除いて、他の任意の実施形態の全部又は一部とともに利用されることがあってもよい。
【０１１０】
「含む」（includes）という語が発明の詳細な説明又は特許請求の範囲のいずれかにおいて使用される限度において、その語は、「具備する」（comprising）という語が特許請求の範囲において接続的用語として使用されるときに解釈されるのと同じような意味で包括的であることを意図している。さらに、発明の詳細な説明又は特許請求の範囲のいずれかにおいて用いられているような「又は」という語は、排他的な「又は」ではなく、非排他的な「又は」を意味することを意図している。すなわち、特にそうでないと指定いる場合を除いて、又は文脈から明らかである場合を除いて、「XはA又はBを使用する」という文章は、自然な包括的組み合わせのうちのいずれをも意味することを意図している。すなわち、「XはAを使用する」；「XはBを使用する」；又は「XはAとBの両方を使用する」場合、「XはA又はBを使用する」は、そのうちのどの場合においても充足させられる。さらに、本件明細書及び添付の特許請求の範囲において使用されているような冠詞の「a」及び「an」は、特にそうでないと指定されている場合を除いて、又は単数形を指していることが文脈から明らかである場合を除いて、「1つ又は複数」を意味するものとして一般に解されるべきである。
【図１】
2013507840.tif 000013
【図２】
2013507840.tif 000014
【図３】
2013507840.tif 000015
【図４】
2013507840.tif 000016
【図５】
2013507840.tif 000017
【図６】
2013507840.tif 000018
【図７】
2013507840.tif 000019
【図８】
2013507840.tif 000020
【図９】
2013507840.tif 000021
【図１０】
2013507840.tif 000022
【国際調査報告】
2013507840.tif 000023
2013507840.tif 000024